(57)【要約】  本発明電力系統ツリー作成システムは、電気機器を構成する電子部品への電力の供給経路を示す電力系統ツリーを作成する電力系統ツリー作成システムであって、表示部と、前記電気機器を構成する電子部品に関する情報を示す設計情報が入力されると、該設計情報に基づいて前記電力系統ツリーを推奨電力系統ツリーとして作成し、該推奨電力系統ツリーの各種の項目についての特性をそれぞれ示す複数の特性値とともに前記表示部に表示させる作成部と、を有し、前記作成部は、前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化を前記表示部に表示させる。
2014069080.tif 000002
【特許請求の範囲】
【請求項１】
電気機器を構成する電子部品への電力の供給経路を示す電力系統ツリーを作成する電力系統ツリー作成システムであって、
表示部と、
前記電気機器を構成する電子部品に関する情報を示す設計情報が入力されると、該設計情報に基づいて前記電力系統ツリーを推奨電力系統ツリーとして作成し、該推奨電力系統ツリーの各種の項目についての特性をそれぞれ示す複数の特性値とともに前記表示部に表示させる作成部と、を有し、
前記作成部は、前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化を前記表示部に表示させることを特徴とする電力系統ツリー作成システム。
【請求項２】
請求項１記載の電力系統ツリー作成システムにおいて、
前記作成部は、前記電力系統ツリーにおいて満たすべき制約条件を示す制約条件情報、および、前記各種の項目のうち、優先すべき項目を示す優先項目情報がさらに入力され、前記設計情報、前記制約条件情報、および、前記優先項目情報に基づいて前記推奨電力系統ツリーを作成することを特徴とする電力系統ツリー作成システム。
【請求項３】
請求項２記載の電力系統ツリー作成システムにおいて、
前記作成部は、前記優先項目情報に示される項目について、前記推奨電力系統ツリーの特性値に対する前記変更電力系統ツリーの特性値の変化を前記表示部に表示させることを特徴とする電力系統ツリー作成システム。
【請求項４】
請求項１から３のいずれか１項に記載の電力系統ツリー作成システムにおいて、
前記電子部品に関する情報を記憶する記憶部をさらに有し、
前記作成部は、前記表示部に表示された電力系統ツリーを採用する旨が入力されると、前記記憶部に前記電力系統ツリーを構成する電子部品の採用実績を記憶させることを特徴とする電力系統ツリー作成システム。
【請求項５】
請求項４記載の電力系統ツリー作成システムにおいて、
前記作成部は、前記電力系統ツリーを構成する電子部品を選択する旨が入力されると、前記記憶部に記憶されている前記選択された電子部品に関する情報を前記表示部に表示させることを特徴とする電力系統ツリー作成システム。
【請求項６】
表示部を有し、電気機器を構成する電子部品への電力の供給経路を示す電力系統ツリーを作成する電力系統ツリー作成システムの制御方法であって、
前記電気機器を構成する電子部品に関する情報を示す設計情報が入力されると、該設計情報に基づいて前記電力系統ツリーを推奨電力系統ツリーとして作成し、該推奨電力系統ツリーの各種項目についての特性をそれぞれ示す複数の特性値とともに前記表示部に表示させ、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに前記表示部に表示させることを特徴とする電力系統ツリー作成システムの制御方法。
【請求項７】
コンピュータに、
電気機器を構成する電子部品に関する情報を示す設計情報が入力されると、該設計情報に基づいて、前記電気機器を構成する電子部品への電力の供給経路を示す電力系統ツリーを推奨電力系統ツリーとして作成し、該推奨電力系統ツリーの各種の項目についての特性をそれぞれ示す複数の特性値とともに表示する処理と、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに表示する処理と、を実行させるプログラム。
【発明の詳細な説明】
【技術分野】
【０００１】
本発明は、電気機器を構成する電子部品への電力の供給経路を示す電力系統ツリーを作成する電力系統ツリー作成システム、電力系統ツリー作成システムの制御方法、および、プログラムに関する。
【背景技術】
【０００２】
近年、電気機器においては省電力化の観点から低電圧化が進展している。低電圧化の進展に伴い、１つの電気機器内に、それぞれ異なる電圧値を基準に動作する複数種の電子部品が使用されることが多くなっている。この結果、１つの電気機器内で取り扱われる電圧値の数が増加している。そのため、電気機器を構成する各電子部品への電力の供給経路の設計が複雑になり、電子部品への電力の供給経路の設計の信頼性の向上が重要な課題となっている。電子部品への電力の供給経路の設計の信頼性を向上させるには、各電子部品への電力の供給経路を階層的に示す電力系統ツリーを作成し、作成した電力系統ツリーを用いて、電力の供給経路の設計、また、設計結果の検証を行うことが有効である。【０００３】
特許文献１（特開２００９−６９８８４号公報）、および、特許文献２（特開２０１０−４９６４６号公報）には、電子部品同士の接続関係を予め記憶しておき、電気機器を構成する電子部品に関する情報を示す設計情報が入力されると、記憶している電子部品同士の接続関係に基づいて、設計情報に示される各電子部品への電力の供給経路を示す電力系統ツリーを作成する技術が開示されている。
【先行技術文献】
【特許文献】
【０００４】
【特許文献１】特開２００９−６９８８４号公報
【特許文献２】特開２０１０−４９６４６号公報
【発明の概要】
【発明が解決しようとする課題】
【０００５】
電力系統ツリーを作成する際には、電力系統ツリーの特性を示す複数の項目について考慮が必要となる。なお、電力系統ツリーの特性を示す項目としては、電力系統ツリーに含まれる電子部品のコスト、入手容易性、電力変換効率、占有面積、基板への搭載時における基板面からの高さなどがある。ここで、ある項目の特性を変更する場合には、設計情報が変更されることとなり、電力系統ツリーの少なくとも一部が変更されることとなる。このような場合には、他の項目の特性も変化してしまうことが多い。そのため、通常、各項目の特性が必要な条件を満たすように、複数の構成案を比較しながら電力系統ツリーが作成される。【０００６】
特許文献１および特許文献２に開示の技術においては、設計情報に基づいて電力系統ツリーを作成することはできる。しかしながら、電力系統ツリーの一部を変更した場合に、どの項目の特性値がどのように変化するかは分からない。そのため、複数の構成案を比較しながら、所望の電力系統ツリーを作成するには手間がかかるという問題がある。【０００７】
本発明の目的は、所望の電力系統ツリーを作成する手間の削減を図ることができる電力系統ツリー作成システム、電力系統ツリー作成システムの制御方法、および、プログラムを提供することにある。
【課題を解決するための手段】
【０００８】
上記目的を達成するために本発明の電力系統ツリー作成システムは、
電気機器を構成する電子部品への電力の供給経路を示す電力系統ツリーを作成する電力系統ツリー作成システムであって、
表示部と、
前記電気機器を構成する電子部品に関する情報を示す設計情報が入力されると、該設計情報に基づいて前記電力系統ツリーを推奨電力系統ツリーとして作成し、該推奨電力系統ツリーの各種の項目についての特性をそれぞれ示す複数の特性値とともに前記表示部に表示させる作成部と、を有し、
前記作成部は、前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに前記表示部に表示させる。【０００９】
上記目的を達成するために本発明の電力系統ツリー作成システムの制御方法は、
表示部を有し、電気機器を構成する電子部品への電力の供給経路を示す電力系統ツリーを作成する電力系統ツリー作成システムの制御方法であって、
前記電気機器を構成する電子部品に関する情報を示す設計情報が入力されると、該設計情報に基づいて前記電力系統ツリーを推奨電力系統ツリーとして作成し、該推奨電力系統ツリーの各種の項目についての特性をそれぞれ示す複数の特性値とともに前記表示部に表示させ、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに前記表示部に表示させる。【００１０】
上記目的を達成するために本発明のプログラムは、
コンピュータに、
電気機器を構成する電子部品に関する情報を示す設計情報が入力されると、該設計情報に基づいて、前記電気機器を構成する電子部品への電力の供給経路を示す電力系統ツリーを推奨電力系統ツリーとして作成し、該推奨電力系統ツリーの各種の項目についての特性をそれぞれ示す複数の特性値とともに表示する処理と、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに表示する処理と、を実行させる。
【発明の効果】
【００１１】
本発明によれば、所望の電力系統ツリーを作成する手間の削減を図ることができる。
【図面の簡単な説明】
【００１２】
【図１】本発明の第１の実施形態の電力系統ツリー作成システムの構成を示すブロック図である。
【図２】図１に示す電力系統ツリー作成システムの動作を示すフローチャートである。
【図３】図１に示す表示部の表示の一例である。
【図４】図１に示す表示部の表示の一例である。
【図５】本発明の第２の実施形態の電力系統ツリー作成システムの構成を示すブロック図である。
【図６】図５に示す電力系統ツリー作成システムの動作を示すフローチャートである。
【図７】図５に示す表示部の表示の一例である。
【図８】図５に示す表示部の表示の一例である。
【図９】図５に示す表示部の表示の一例である。
【発明を実施するための形態】
【００１３】
以下に、本発明を実施するための形態について図面を参照して説明する。
【００１４】
なお、以下では、ＬＳＩ（Ｌａｒｇｅ  Ｓｃａｌｅ  Ｉｎｔｅｇｒａｔｉｏｎ）、メモリー、機能モジュールといったデバイスや、電源部品などの電子部品が、配線基板（プリント配線基板）に搭載される場合を例として説明する。また、以下では、配線基板に搭載される電子部品を搭載部品と称する。
【００１５】
（第１の実施形態）
図１は、本発明の第１の実施形態の電力系統ツリー作成システム１００の構成を示すブロック図である。
【００１６】
図１に示す電力系統ツリー作成システム１００は、入力部１１０と、情報記憶部１２０と、表示部１３０と、電力系統ツリー情報作成部１４０と、を有する。情報記憶部１２０は、記憶部の一例であり、電力系統ツリー情報作成部１４０は、作成部の一例である。
【００１７】
入力部１１０は、設計情報入力部１１１と、制約条件情報入力部１１２と、優先項目情報入力部１１３と、編集情報入力部１１４と、を有する。
【００１８】
設計情報入力部１１１は、電気機器の配線基板やその配線基板への搭載部品、また、搭載部品の接続関係など、電力系統ツリーの作成に必要となる設計情報が入力される。設計情報入力部１１１は、入力された設計情報を電力系統ツリー情報作成部１４０に出力する。
【００１９】
制約条件情報入力部１１２は、電力系統ツリーを作成する上で遵守する必要がある条件を示す制約条件情報が入力される。制約条件情報入力部１１２は、入力された制約条件情報を電力系統ツリー情報作成部１４０に出力する。なお、制約条件としては、例えば、大元の入力電圧、許容可能な電圧種類数、許容可能な電圧変換段数、搭載部品の電力系統ツリーへの採用実績などがある。
【００２０】
優先項目情報入力部１１３は、電力系統ツリーの特性を示す複数の項目のうち、優先すべき項目を示す優先項目情報が入力される。優先項目情報入力部１１３は、入力された優先項目情報を電力系統ツリー情報作成部１４０に出力する。なお、電力系統ツリーの特性を示す項目としては、搭載部品のコスト、入手容易性、電力変換効率、占有面積、配線基板への搭載時における基板面からの高さなど種々のものがある。
【００２１】
編集情報入力部１１４は、電力系統ツリーの変更内容を示す編集情報が入力される。編集情報入力部１１４は、入力された編集情報を電力系統ツリー情報作成部１４０に出力する。
【００２２】
情報記憶部１２０は、デバイス情報ＤＢ（Ｄａｔａｂａｓｅ）１２１と、電源情報ＤＢ１２２と、を有する。
【００２３】
デバイス情報ＤＢ１２１は、デバイスの仕様など、デバイスに関するデバイス情報を記憶する。
【００２４】
電源情報ＤＢ１２２は、電源部品の仕様など、電源部品に関する情報を記憶する。
【００２５】
表示部１３０は、電力系統ツリー情報作成部１４０の制御に従い、種々の情報を表示する。
【００２６】
電力系統ツリー情報作成部１４０は、推奨ツリー自動生成部１４１と、ツリー編集部１４２と、を有する。
【００２７】
推奨ツリー自動生成部１４１は、入力部１１０から入力された設計情報、制約条件情報、および、優先項目情報に基づいて、情報記憶部１２０から電力系統ツリーの作成に必要なデバイス情報および電源情報を取得する。さらに、推奨ツリー自動生成部１４１は、これらの情報に基づいて電力系統ツリーを作成する。以下では、推奨ツリー自動生成部１４１が作成した電力系統ツリーを推奨電力系統ツリーと称する。
【００２８】
また、推奨ツリー自動作成部１４１は、作成した推奨電力系統ツリーを示す推奨電力系統ツリー情報と、推奨電力系統ツリー内の各経路における電流値や電圧値を示す電力情報と、推奨電力系統ツリーの優先項目情報に示される項目の特性を示す特性値（以下、初期特性値と称する）を示す初期特性値情報と、を表示部１３０に出力して表示させる。
【００２９】
ツリー編集部１４２は、入力部１１０から入力された編集情報に基づいて、推奨電力系統ツリーを変更する。以下では、ツリー編集部１４２が推奨電力系統ツリーを変更して作成した電力系統ツリーを変更電力系統ツリーと称する。
【００３０】
また、ツリー編集部１４２は、作成した変更電力系統ツリーを示す変更電力系統ツリー情報と、変更電力系統ツリー内の各経路における電力情報と、変更電力系統ツリーの優先項目情報に示される項目の特性値（以下、変更後特性値と称する）を示す変更後特性値情報と、初期特性値に対する変更後特性値の変化を示す差分情報と、を表示部１３０に出力して表示させる。
【００３１】
次に、本実施形態の電力系統ツリー作成システム１００の動作について説明する。
【００３２】
図２は、本実施形態の電力系統ツリー作成システム１００の動作を示すフローチャートである。
【００３３】
電力系統ツリー情報作成部１４０は、設計情報入力部１１１を介した設計情報の入力を受け付ける（ステップＳ２０１）。ここで、ユーザは、電気機器の構成に必要なデバイス、各デバイスの使用数、要求仕様などを特定し、特性した内容に基づいて設計情報を入力する。
【００３４】
推奨ツリー自動作成部１４１は、入力された設計情報に基づいて、デバイス情報ＤＢ１２１からデバイス情報を取得する（ステップＳ２０２）。ここで、推奨ツリー自動作成部１４１は、設計情報に示されるデバイスのデバイス情報が、デバイス情報ＤＢ１２１にライブラリー化して記憶されている場合には、そのデバイス情報を取得する。設計情報に示されるデバイスのデバイス情報がデバイス情報ＤＢ１２１に記憶されていない場合には、推奨ツリー自動作成部１４１は、ユーザに所定のデータフォーマットでそのデバイスのデバイス情報を追加標準品情報として入力するように要求する。なお、デバイス情報ＤＢ１２１には、新規のデバイスの購入時などに、そのデバイスの価格や入手容易性などを示す購買品情報がデバイス情報として随時入力される。
【００３５】
次に、電力系統ツリー情報作成部１４０は、制約条件情報入力部１１２を介した制約条件情報の入力を受け付ける（ステップＳ２０３）。
【００３６】
次に、電力系統ツリー情報作成部１４０は、優先項目情報入力部１１３を介した優先項目情報の入力を受け付ける（ステップＳ２０４）。
【００３７】
なお、図２においては、制約条件情報の入力を受け付けた後に、優先項目情報の入力を受け付ける例を用いて説明するが、これに限られるものではない。優先項目情報の入力を受け付けた後に、制約条件情報の入力を受け付けるようにしてもよい。
【００３８】
次に、推奨ツリー自動作成部１４１は、入力された制約条件情報および優先項目情報に基づいて、電力系統ツリーの作成に必要な電源部品の電源情報を電源情報ＤＢ１２２から取得する（ステップＳ２０５）。ここで、推奨ツリー自動作成部１４１は、電力系統ツリーの作成に必要な電源部品の電源情報が電源情報ＤＢ１２２に記憶されていない場合には、ユーザに所定のデータフォーマットでその電源部品の電源情報を追加標準品情報として入力するように要求する。また、電源情報ＤＢ１２２には、新規の電源部品の購入時などに、その電源部品の価格や入手容易性などを示す購買品情報が電源情報として随時入力される。
【００３９】
次に、推奨ツリー自動生成部１４１は、入力された設計情報、制約条件情報、および、優先項目情報と、取得したデバイス情報および電源情報とに基づいて電力系統ツリー（推奨電力系統ツリー）を作成する（ステップＳ２０６）。さらに、推奨ツリー自動作成部１４１は、作成した推奨電力系統ツリーを示す推奨電力系統ツリー情報と、推奨電力系統ツリー内の各経路における電力情報と、推奨電力系統ツリーの初期特性値を示す初期特性値情報と、を表示部１３０に出力する。
【００４０】
表示部１３０は、推奨ツリー自動生成部１４１から推奨電力系統ツリー情報、電流情報、電圧情報、初期特性値情報が入力されると、これらの情報を表示する（ステップＳ２０７）。
【００４１】
図３は、ステップＳ２０７における表示部１３０の表示の一例を示す図である。
【００４２】
図３に示すように、表示部１３０は、推奨電力系統ツリー情報に示される推奨電力系統ツリー３１０を表示する。
【００４３】
推奨電力系統ツリー３１０は、４段で構成される。
【００４４】
１段目には、外部から電源が入力される電源入力部３１１が配置されている。電源入力部３１１の出力側には、電源入力部３１１の出力電圧と出力電流とが表示される。本実施形態においては、電源入力部３１１の出力電圧は１２Ｖであり、出力電流は１０Ａである。電源入力部３１１の出力側に接続された電力の供給経路は、２つに分岐している。分岐後の各経路には、その経路を流れる電流の電流値が表示される。本実施形態においては、上側の経路に流れる電流の電流値は８Ａであり、下側の経路に流れる電流の電流値は２Ａである。
【００４５】
２段目には、電源３１２，３１３が配置されている。電源３１２の入力側には、１段目において分岐した経路のうち、上側の経路が接続される。したがって、電源３１２には８Ａの電流が入力される。また、電源３１３の入力側には、１段目において分岐した経路のうち、下側の経路が接続される。したがって、電源３１３には２Ａの電流が入力される。
【００４６】
電源３１２，３１３の出力側には、各電源の出力電圧と出力電流とが表示される。本実施形態においては、電源３１２の出力電圧は５Ｖであり、出力電流は１５Ａである。また、電源３１３の出力電圧は３．３Ｖであり、出力電流は６Ａである。
【００４７】
また、電源３１２，３１３の下部には、各電源の性能として、電力変換効率と損失とが表示される。本実施形態においては、電源３１２の電力変換効率は８０％であり、損失は１９．２Ｗである。また、電源３１３の電力変換効率は８０％であり、損失は４．８Ｗである。
【００４８】
電源３１２の出力側に接続された電力の供給経路は、２つに分岐している。本実施形態においては、上側の経路に流れる電流の電流値は１０Ａであり、下側の経路に流れる電流の電流値は５Ａである。
【００４９】
３段目には、電源３１４が配置されている。電源３１４の入力側には、電源３１２の出力側に接続され、２段目において分岐した経路のうち、下側の経路が接続される。したがって、電源３１４には、５Ａの電流が入力される。
【００５０】
電源３１４の出力側には、電源３１４の出力電圧と出力電流とが表示される。本実施形態においては、電源３１４の出力電圧は１．８Ｖであり、出力電流は１１Ａである。また、電源３１４の下部には、電源３１４の電力変換効率と損失とが表示される。本実施形態においては、電源３１４の電力変換効率は８０％であり、損失は５Ｗである。
【００５１】
また、３段目においては、２段目において分岐した経路のうち、上側の経路がさらに２つに分岐している。本実施形態においては、上側の経路に流れる電流の電流値は２Ａであり、下側の経路に流れる電流の電流値は８Ａである。
【００５２】
４段目には、デバイス３１５〜３１７が配置されている。
【００５３】
デバイス３１５の入力側には、３段目において分岐した経路のうち、上側の経路が接続される。したがって、デバイス３１５には２Ａの電流が入力される。また、デバイス３１６の入力側には、３段目において分岐した経路のうち、下側の経路と、電源３１４の出力側に接続された経路と、が接続される。したがって、デバイス３１６には、５Ｖ、８Ａと１．８Ｖ、１１Ａと、が入力される。また、デバイス３１７の入力側には、電源３１３の出力側に接続された経路が接続される。したがって、デバイス３１７には、６Ａの電流が入力される。
【００５４】
なお、各経路における電流値、電圧値は、推奨ツリー自動作成部１４１から出力された電力情報に基づいて表示される。
【００５５】
また、表示部１３０は、推奨ツリー自動作成部１４１から出力された初期特性値情報に基づいて初期特性値テーブル３２０を表示する。
【００５６】
初期特性値テーブル３２０においては、図３に示すように、優先項目情報に示される優先順位の高い項目順に、項目の名称が示される。また、初期特性値テーブル３２０においては、項目の名称に対応して、その項目の要求特性と、その項目の初期特性値と、が示される。本実施形態においては、最も優先すべき項目はコスト（コストが低い）であり、次いで、総変換効率（総変換効率が高い）、搭載部品高さ（搭載部品高さが低い）、発熱密度（発熱密度が低い）の順である。
【００５７】
図３に示すように、推奨電力系統ツリー３１０と初期特性値テーブル３２０とを表示することで、ユーザは、推奨電力系統ツリーが、どの項目のどんな要求に基づいて作成されたのか、また、電力系統ツリーの特性値はどれくらいであるかといったことを容易に認識することができる。その結果、設計作業や設計検証作業を効率よく行うことができる。
【００５８】
図２を再び参照すると、電力系統ツリー情報作成部１４０は、推奨電力系統ツリーを検討のベースとして採用する旨が入力１１０を介して入力されたか否かを判定する（ステップＳ２０８）。
【００５９】
推奨電力系統ツリーを検討のベースとして採用しない旨が入力されたと判定すると（ステップＳ２０８：Ｎｏ）、電力系統ツリー情報作成部１４０は、ステップＳ２０３の処理に戻る。
【００６０】
推奨電力系統ツリーを検討のベースとして採用する旨が入力されたと判定すると（ステップＳ２０８：Ｙｅｓ）、電力系統ツリー情報作成部１４０は、編集情報入力部１１４を介した編集情報の入力を受け付ける（ステップＳ２０９）。なお、以下では、図３に示す電源３１４を、電源３１４よりも電力変換効率が高く（８８％）、かつ、損失が少ない（２．７Ｗ）電源に変更する旨を示す編集情報が入力されたとする。
【００６１】
ツリー編集部１４２は、入力された編集情報に基づいて推奨電力系統ツリーを変更し、変更電力系統ツリーを作成する（ステップＳ２１０）。具体的には、ツリー編集部１４２は、電源を変更する旨を示す編集情報が入力されていることから、新しい電源の電源情報を電源情報ＤＢ１２２から取得する。そして、ツリー編集部１４２は、取得した電源情報と、推奨ツリー自動作成部１４１が取得した情報とに基づいて変更電力系統ツリーを作成する。
【００６２】
さらに、ツリー編集部１４２は、作成した変更電力系統ツリーを示す変更電力系統ツリー情報と、変更電力系統ツリー内の各経路における電力情報と、変更電力系統ツリーの変更後特性値を示す変更後特性値情報と、初期特性値に対する変更後特性値の変化を示す差分情報と、を表示部１３０に出力する。本実施形態においては、差分情報は、ある項目の初期特性値に対して、その項目の変更後特性値が、要求特性から見て、好転しているのか、悪化しているのか、変化していないのかを示すものとする。
【００６３】
表示部１３０は、ツリー編集部１４２から変更電力系統ツリー情報、電力情報、変更後特性値情報、差分情報が入力されると、これらの情報を表示する（ステップＳ２１１）。
【００６４】
図４は、ステップＳ２１１における表示部１３０の表示の一例を示す図である。なお、図４において、図３と同様の構成については同じ符号を付し、説明を省略する。
【００６５】
図４に示すように、表示部１３０は、初期特性値テーブル３２０を表示する。
【００６６】
また、表示部１３０は、変更電力系統ツリー情報に示される変更電力系統ツリー４１０を表示する。
【００６７】
上述したように、図３に示す電源３１４を、電源３１４よりも電力変換効率が高く（８８％）、かつ、損失が少ない（２．７Ｗ）電源に変更する旨を示す編集情報が入力されている。そのため、変更電力系統ツリー４１０においては、電源３１４が、電力変換効率が８８％であり、損失が２．７Ｗである電源４１１に変更されている。また、電源３１４から電源４１１への変更に伴って、電源入力部３１１の出力電流が９．６Ａに変更されている。また、電源入力部３１１の出力電流の変更に伴い、電源３１２への入力電流が８Ａから７．６Ａに変更されている。また、電源入力部３１１の出力電流が１５Ａから１４．５Ａに変更されている。
【００６８】
電源３１２の出力側に接続された経路は２段目において分岐している。本実施形態においては、上側の経路に流れる電流の電流値は１０Ａであり、下側の経路に流れる電流の電流値は４．５Ａである。
【００６９】
３段目には、電源４１１が配置されている。電源４１１の入力側には、２段目において分岐した経路のうち、下側の経路が接続される。したがって、電源４１１には、４．５Ａの電流が入力される。
【００７０】
電源４１１の出力側には、電源４１１の出力電圧と出力電流とが表示される。本実施形態においては、電源４１１の出力電圧は１．８Ｖであり、出力電流は１１Ａである。電源４１１は、電源３１４よりも電力変換効率が高く、損失が少ないため、電源３１４よりも少ない入力電流で、電源３１４と同じ電圧、電流を出力することができる。
【００７１】
また、表示部１３０は、推奨電力系統ツリー３１０に対する変更内容４２０を表示する。
【００７２】
また、表示部１３０は、変更後特性値情報、差分情報に基づいて変更後特性テーブル４３０を表示する。
【００７３】
変更後特性テーブル４３０においては、優先項目情報に示される項目ごとに、その項目の初期特性値に対して変更後特性値が好転しているのか、悪化しているのか、変化していないのかを示す初期比と、変更後特性値と、が示される。
【００７４】
電源３１４を電源４１１に変更したことにより、コストが１２，０００円から１３，０００円に上昇して悪化し、総変換効率は７４％から７６％に好転し、搭載部品高さは最大２ｍｍで変化が無く、発熱密度は最大２Ｗ／ｃｍ2から最大１．５Ｗ／ｃｍ2に低下して好転している。なお、初期比は、「好転」、「悪化」、「変化無し」といった語句ではなく、「○」、「×」、「＝」などの記号や、「↑」、「↓」、「→」などの矢印を用いて示してもよい。
【００７５】
このように、初期特性値テーブル３２０に加えて、変更電力系統ツリー４１０および変更後特性テーブル４３０を表示することで、ユーザは、推奨電力系統ツリーの変更により、どの項目の特性値がどのように変化したかを容易に認識することができる。そのため、設計時における各特性のトレードオフの判断を容易に行うことでき、所望の電力系統ツリーを作成する手間を削減することができる。
【００７６】
図２を再び参照すると、電力系統ツリー情報作成部１４０は、表示部１３０に表示された電力系統ツリーを採用する旨が入力１１０を介して入力されたか否かを判定する（ステップＳ２１２）。
【００７７】
表示された電力系統ツリーを採用しない旨が入力されたと判定すると（ステップＳ２１２：Ｎｏ）、電力系統ツリー情報作成部１４０は、ステップＳ２０９の処理に戻る。
【００７８】
表示された電力系統ツリーを採用する旨が入力されたと判定すると（ステップＳ２１２：Ｙｅｓ）、電力系統ツリー情報作成部１４０は、その電力系統ツリーを構成するデバイスの採用実績をデバイス情報ＤＢ１２１に更新させ、その電力系統ツリーを構成する電源部品の採用実績を電源情報ＤＢ１２２に更新させて（ステップＳ２１３）、処理を終了する。
【００７９】
このように本実施形態によれば、電力系統ツリー作成システム１００は、設計情報と、制約条件情報と、優先項目情報とに基づいて推奨電力系統ツリーを作成し、その推奨電力系統ツリーを変更する旨を示す編集情報が入力されると、その編集情報に基づいて推奨電力系統ツリーを変更した変更電力系統ツリーを作成する。さらに、電力系統ツリー作成システム１００は、初期特性値に対する変更後特性値の変化を表示部１３０に表示する。
【００８０】
そのため、ユーザは、推奨電力系統ツリーの変更により、どの項目の特性値がどのように変化したかを容易に認識することができ、各特性のトレードオフの判断を容易に行うことできるので、所望の電力系統ツリーを作成する手間を削減することができる。
【００８１】
（第２の実施形態）
図５は、本発明の第２の実施形態の電力系統ツリー作成システム５００の構成を示すブロック図である。なお、図５において、図１と同様の構成については同じ符号を付し、説明を省略する。
【００８２】
本実施形態の電力系統ツリー作成システム５００は、第１の実施形態の電力系統ツリー作成システム１００と比較して、情報記憶部１２０を情報記憶部５２０に変更した点と、電力系統ツリー情報作成部１４０を電力系統ツリー情報作成部５４０に変更した点と、が異なる。
【００８３】
情報記憶部５２０は、情報記憶部１２０と比較して、接続部品情報ＤＢ５２１を追加した点が異なる。
【００８４】
接続部品情報ＤＢ５２１は、電子部品への電力の供給経路を構成するケーブルやコネクタなどの接続部品の仕様情報など、接続部品に関する接続部品情報を記憶する。
【００８５】
電力系統ツリー情報作成部５４０は、電力系統ツリー情報作成部１４０と比較して、推奨ツリー自動生成部１４１を推奨ツリー自動生成部５４１に変更した点と、ツリー編集部１４２をツリー編集部５４２に変更した点と、が異なる。
【００８６】
推奨ツリー自動生成部５４１は、推奨ツリー自動生成部１４１と同様に、推奨電力系統ツリーを作成し、初期特性値とともに表示部１３０に表示させる。ここで、推奨ツリー自動生成部５４１は、デバイス情報や電源情報だけでなく、接続部品に関する情報も含む推奨電力系統ツリーを作成する。
【００８７】
ツリー編集部５４２は、ツリー編集部１４２と同様に、推奨電力系統ツリーを編集情報に基づいて変更して変更電力系統ツリーを作成し、変更後特性値とともに表示部１３０に表示させる。ここで、推奨ツリー自動生成部５４１は、接続部品に関する情報も含む変更電力系統ツリーを作成する。
【００８８】
次に、本実施形態の電力系統ツリー作成システム５００の動作について説明する。
【００８９】
図６は、本実施形態の電力系統ツリー作成システム５００の動作を示すフローチャートである。なお、図６において、図２と同様の処理については同じ符号を付し、説明を省略する。
【００９０】
ステップＳ２０３，２０４において、制約条件情報および優先項目情報が入力されると、推奨ツリー自動作成部５４１は、入力された制約条件情報および優先項目情報に基づいて、電力系統ツリーの作成に必要な電源部品の電源情報を電源情報ＤＢ１２２から取得し、電力系統ツリーの作成に必要な接続部品の接続部品情報を接続部品情報ＤＢ５２１から取得する（ステップＳ６０１）。
【００９１】
次に、推奨ツリー自動生成部５４１は、設計情報、制約条件情報、優先項目情報、取得したデバイス情報、電源情報、および、接続部品情報に基づいて電力系統ツリー（推奨電力系統ツリー）を作成する（ステップＳ６０３）。さらに、推奨ツリー自動作成部５４１は、作成した推奨電力系統ツリーを示す推奨電力系統ツリー情報と、推奨電力系統ツリー内の各経路における電力情報と、推奨電力系統ツリーの初期特性値を示す初期特性値情報と、を表示部１３０に出力する。
【００９２】
表示部１３０は、推奨ツリー自動生成部１４１から推奨電力系統ツリー情報、電力情報、初期特性値情報が入力されると、これらの情報を表示する（ステップＳ６０３）。
【００９３】
図７は、ステップＳ６０３における表示部１３０の表示の一例を示す図である。なお、図７において、図３と同様の構成については同じ符号を付し、説明を省略する。
【００９４】
図７に示すように、表示部１３０は、推奨電力系統ツリー情報に示される推奨電力系統ツリー７１０を表示する。ここで、推奨電力系統ツリー７１０においては、図３に示す電源入力部３１１が接続部品であるコネクタ７１１に変更されている。コネクタ７１１の下部には、コネクタ７１１の性能として、電流容量が表示される。本実施形態においては、コネクタ７１１の電流容量は２０Ａである。
【００９５】
図６を再び参照すると、ステップＳ２０９において編集情報が入力されると、ツリー編集部５４２は、編集情報に基づいて、推奨ツリー自動作成部５４１が作成した推奨電力系統ツリーを変更し、変更電力系統ツリーを作成する（ステップＳ６０４）。なお、以下では、第１の実施形態と同様に、図７に示す電源３１４を図４に示す電源４１１に変更する旨の編集情報が入力されたとする。
【００９６】
ツリー編集部１４２は、電源を変更する旨を示す編集情報が入力されているため、新しい電源の電源情報を電源情報ＤＢ１２２から取得する。そして、ツリー編集部１４２は、取得した電源情報と、推奨ツリー自動作成部１４１が取得した情報などに基づいて、変更電力系統ツリーを作成する。さらに、ツリー編集部１４２は、作成した変更電力系統ツリーを示す変更電力系統ツリー情報と、変更電力系統ツリー内の各経路における電力情報と、変更電力系統ツリーの変更後特性値を示す変更後特性値情報と、初期特性値に対する変更後特性値の変化を示す差分情報と、を表示部１３０に出力する。
【００９７】
表示部１３０は、ツリー編集部１４２から変更電力系統ツリー情報、電力情報、変更後特性値情報、差分情報が入力されると、これらの情報を表示する（ステップＳ６０５）。
【００９８】
図８は、ステップＳ６０５における表示部１３０の表示の一例を示す図である。なお、図８において、図４と同様の構成については同じ符号を付し、説明を省略する。
【００９９】
図８に示すように、表示部１３０は、変更電力系統ツリー情報に示される変更電力系統ツリー８１０を表示する。
【０１００】
また、表示部１３０は、変更後特性値情報、差分情報に基づいて変更後特性値テーブル８２０を表示する。本実施形態においては、初期比を「○」、「×」、「＝」で示している。なお、「○」、「×」、「＝」はそれぞれ、「好転」、「悪化」、「変化無し」を示す。
【０１０１】
さらに、表示部１３０は、電力系統ツリーの改版履歴情報画面８３０を表示する。
【０１０２】
なお、推奨電力系統ツリー、あるいは、変更電力系統ツリーを表示している際に、電力系統ツリーを構成する電子部品を選択する旨が入力されると、選択された電子部品の情報を表示させるようにしてもよい。例えば、変更電力系統ツリー８１０におけるデバイス３１６を選択する旨が入力されたとすると、図９に示すように、デバイス３１６の詳細情報を示す詳細情報画面９１０を電力系統ツリーなどとは別ウィンドウで表示するようにしてもよい。本実施形態では、詳細情報として、デバイス３１６の部品名、部品数、ピン名、ピン毎の電圧値、電流値を表示している。
【０１０３】
なお、詳細情報の表示対象には、デバイスのほかに、電源部品や接続部品も含まれる。また、詳細情報として表示する内容は上述した内容に限られない。詳細情報の表示対象が電源部品である場合には、例えば、許容電圧範囲、許容電流範囲、許容温度範囲、電圧投入／切断シーケンスなどを詳細情報とし表示することが可能であり、詳細情報の表示対象がコネクタなどである場合には、例えば、コンタクトピン数、ピン当たりの電流容量、コンタクト種類、コンタクトメッキ仕様などの表示が可能である。
【０１０４】
このように本実施形態によれば、電力系統ツリー作成システム５００は、接続部品情報や、改版履歴、また、電力系統ツリーを構成する部品の詳細情報なども表示することが可能となる。
【０１０５】
そのため、より多くの情報をユーザに認識させることができ、所望の電力系統ツリーを作成する手間の削減をさらに図ることができる。
【０１０６】
本発明の電力系統ツリー作成システムにて行われる方法は、コンピュータに実行させるためのプログラムに適用してもよい。また、そのプログラムを記憶媒体に格納することも可能であり、ネットワークを介して外部に提供することも可能である。
【０１０７】
以上、実施形態を参照して本願発明を説明したが、本発明は上記実施形態に限定されるものではない。本願発明の構成や詳細には、本願発明の範囲内で当業者が理解し得る様々な変更をすることができる。
【０１０８】
この出願は、２０１２年１１月１日に出願された日本出願２０１２−２４１７８０を基礎とする優先権を主張し、その開示の全てをここに取り込む。
【０１０９】
上記の実施形態の一部または全部は、以下の付記のようにも記載されうるが、以下には限られない。
【０１１０】
（付記１）
電気機器を構成する電子部品への電力の供給経路を示す電力系統ツリーを作成する電力系統ツリー作成システムであって、
表示部と、
前記電気機器を構成する電子部品に関する情報を示す設計情報が入力されると、該設計情報に基づいて前記電力系統ツリーを推奨電力系統ツリーとして作成し、該推奨電力系統ツリーの各種の項目についての特性をそれぞれ示す複数の特性値とともに前記表示部に表示させる作成部と、を有し、
前記作成部は、前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化を前記表示部に表示させることを特徴とする電力系統ツリー作成システム。
【０１１１】
（付記２）
付記１記載の電力系統ツリー作成システムにおいて、
前記作成部は、前記電力系統ツリーにおいて満たすべき制約条件を示す制約条件情報、および、前記各種の項目のうち、優先すべき項目を示す優先項目情報がさらに入力され、前記設計情報、前記制約条件情報、および、前記優先項目情報に基づいて前記推奨電力系統ツリーを作成することを特徴とする電力系統ツリー作成システム。
【０１１２】
（付記３）
付記２記載の電力系統ツリー作成システムにおいて、
前記作成部は、前記優先項目情報に示される項目について、前記推奨電力系統ツリーの特性値に対する前記変更電力系統ツリーの特性値の変化を前記表示部に表示させることを特徴とする電力系統ツリー作成システム。
【０１１３】
（付記４）
付記１から３のいずれか１つに記載の電力系統ツリー作成システムにおいて、
前記電子部品に関する情報を記憶する記憶部をさらに有し、
前記作成部は、前記表示部に表示された電力系統ツリーを採用する旨が入力されると、前記記憶部に前記電力系統ツリーを構成する電子部品の採用実績を記憶させることを特徴とする電力系統ツリー作成システム。
【０１１４】
（付記５）
付記４記載の電力系統ツリー作成システムにおいて、
前記作成部は、前記電力系統ツリーを構成する電子部品を選択する旨が入力されると、前記記憶部に記憶されている前記選択された電子部品に関する情報を前記表示部に表示させることを特徴とする電力系統ツリー作成システム。
【０１１５】
（付記６）
表示部を有し、電気機器を構成する電子部品への電力の供給経路を示す電力系統ツリーを作成する電力系統ツリー作成システムの制御方法であって、
前記電気機器を構成する電子部品に関する情報を示す設計情報が入力されると、該設計情報に基づいて前記電力系統ツリーを推奨電力系統ツリーとして作成し、該推奨電力系統ツリーの各種項目についての特性をそれぞれ示す複数の特性値とともに前記表示部に表示させ、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに前記表示部に表示させることを特徴とする電力系統ツリー作成システムの制御方法。
【０１１６】
（付記７）
コンピュータに、
電気機器を構成する電子部品に関する情報を示す設計情報が入力されると、該設計情報に基づいて、前記電気機器を構成する電子部品への電力の供給経路を示す電力系統ツリーを推奨電力系統ツリーとして作成し、該推奨電力系統ツリーの各種の項目についての特性をそれぞれ示す複数の特性値とともに表示する処理と、
前記推奨電力系統ツリーの変更内容を示す編集情報が入力されると、該編集情報に基づいて前記推奨電力系統ツリーを変更した変更電力系統ツリーを作成し、前記推奨電力系統ツリーの前記複数の特性値に対する前記変更電力系統ツリーの前記複数の特性値の変化とともに表示する処理と、を実行させるプログラム。
【図１】
2014069080.tif 000003
【図２】
2014069080.tif 000004
【図３】
2014069080.tif 000005
【図４】
2014069080.tif 000006
【図５】
2014069080.tif 000007
【図６】
2014069080.tif 000008
【図７】
2014069080.tif 000009
【図８】
2014069080.tif 000010
【図９】
2014069080.tif 000011
【国際調査報告】
2014069080.tif 000012
2014069080.tif 000013
2014069080.tif 000014